(57)【要約】【課題】加熱コイルの位置ずれを低減させること。【解決手段】鍋などの被加熱調理器具を載置する結晶化ガラスから成るトッププレート２と、金属部材から成りトッププレート２の周囲を支持するアンダーフレーム３とを有する天板ユニット１と、加熱コイル４とで構成され、加熱コイル４を天板ユニット１に固定する構成としている。これにより、加熱コイル４のトッププレート２に対する位置ずれが低減でき、調理性能を安定させることができる。また、トッププレート２と加熱コイル４との隙間６のバラツキも低減でき、加熱コイル４の冷却性能や加熱効率も安定させることができる。【選択図】図１
2012084464.tif 000002
【特許請求の範囲】
【請求項１】
本体の上部を覆い被加熱調理器具を載置するトッププレートと、前記トッププレートを下方より支持し、前記本体に締結するアンダーフレームとを有する天板ユニットと、前記トッププレートの下方に設けられた加熱コイルとを備え、前記加熱コイルは前記天板ユニットに固定される構成とした誘導加熱調理器。
【請求項２】
加熱コイルは、アンダーフレームに固定される構成とした請求項１に記載の誘導加熱調理器。
【請求項３】
加熱コイルは、トッププレートに接着されて固定される構成とした請求項１に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は、加熱コイルの下に弾性体から成る支持台を備え、加熱コイルを天板の裏面に押し当てて固定している（例えば、特許文献１参照）。
【０００３】
図６は、特許文献１に記載された従来の誘導加熱調理器を示すものである。図６に示すように、天板３０の下方に位置する加熱コイル３２と、加熱コイル３２を固定した加熱コイル固定台３１と、弾性体から成る支持台３３とを備え、加熱コイル３２を天板３０の裏面に押し当てる構成としている。
【０００４】
また、天板３０と加熱コイル３２との間にスペーシング部材３４を設け、天板３０と加熱コイル３２との隙間を確保しつつ、一定に保つ構成とすることにより、加熱コイル３２の冷却性能と加熱性能の安定を確保している。
【先行技術文献】
【特許文献】
【０００５】
【特許文献１】特開平０３−１１４１８０号公報
【発明の概要】
【発明が解決しようとする課題】
【０００６】
しかしながら、上記従来の構成では、加熱コイルが弾性体で支持されており、組み立てる際には加熱コイルを弾性体の上に載置した後、天板を上から組み付ける順番となる。そのため、加熱コイルが動き、加熱コイルの位置がずれるという課題を有していた。
【０００７】
天板には加熱コイルに対向した位置に鍋などの被加熱調理器具を載置する位置を示す円などが印刷されており、天板と加熱コイルがずれると、被加熱物と加熱コイルとがずれるため、加熱性能が低下する。
【０００８】
更に、近年では安全性や調理性能を向上させるために、温度調整を行うためのサーミスタや赤外線センサといった温度検知用のセンサが加熱コイルには備えられており、加熱コイルのずれはセンサの誤検知にもつながり、安全性や調理性能が低下するという課題も有している。
【０００９】
本発明は、前記従来の課題を解決するもので、加熱コイルの位置ずれを低減し、安定した調理性能を確保した誘導加熱調理器を提供することを目的とする。
【課題を解決するための手段】
【００１０】
前記従来の課題を解決するために、本発明の誘導加熱調理器は、本体の上部を覆い被加熱調理器具を載置するトッププレートと、前記トッププレートを下方より支持し、前記本体に締結するアンダーフレームとを有する天板ユニットと、前記トッププレートの下方に設けられた加熱コイルとを備え、前記加熱コイルは前記天板ユニットに固定する構成としたものである。
【００１１】
これによって、加熱コイルのトッププレートに対する位置ずれが低減でき、調理性能を安定させることができる。
【発明の効果】
【００１２】
本発明の誘導加熱調理器は、加熱コイルのトッププレートに対する位置ずれが低減でき、調理性能を安定させることができる。
【図面の簡単な説明】
【００１３】
【図１】本発明の実施の形態１における誘導加熱調理器の天板ユニットの斜視図
【図２】本発明の実施の形態１における誘導加熱調理器の加熱コイル部の断面図
【図３】本発明の実施の形態２における誘導加熱調理器の天板ユニットの斜視図
【図４】本発明の実施の形態２における誘導加熱調理器の加熱コイル部の断面図
【図５】本発明の実施の形態３における誘導加熱調理器の加熱コイル部の断面図
【図６】従来の誘導加熱調理器の断面図
【発明を実施するための形態】
【００１４】
第１の発明は、本体の上部を覆い被加熱調理器具を載置するトッププレートと、前記トッププレートを下方より支持し、前記本体に締結するアンダーフレームとを有する天板ユニットと、前記トッププレートの下方に設けられた加熱コイルとを備え、前記加熱コイルは前記天板ユニットに固定される構成としたことにより、加熱コイルのトッププレートに対する位置ずれが低減でき、調理性能を安定させることができる。また、トッププレートと加熱コイルの隙間のバラツキも低減でき、加熱コイルの冷却性能や加熱効率も安定させることができる。
【００１５】
第２の発明は、特に、第１の発明の加熱コイルを、アンダーフレームに固定される構成としたことにより、組み立て、分解が容易になり、修理などのサービス性を向上することができる。
【００１６】
第３の発明は、特に、第１の発明の加熱コイルを、トッププレートに接着されて固定される構成としたことにより、ビスや組み立て工数が削減でき、あるいは組み立てにおいて自動化が図れ、生産性を向上することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における誘導加熱調理器の天板ユニットの斜視図、図２は、本発明の第１の実施の形態における誘導加熱調理器の加熱コイル部の断面図を示すものである。
【００１９】
図１および図２において、鍋などの被加熱調理器具を載置する結晶化ガラスから成るトッププレート２と、金属部材から成るアンダーフレーム３とを有する天板ユニット１と、加熱コイルを固定するコイル固定台８を有する加熱コイル４とで構成され、加熱コイル４は天板ユニット１に固定される構成としている。
【００２０】
トッププレート２には、加熱コイル４に対向した位置に鍋などの被加熱調理器具を載置する位置を示す円などが印刷９されており、本体使用時には、印刷９などを目印に鍋などの被加熱調理器具をトッププレート２の上に載置する。
【００２１】
アンダーフレーム３はトッププレート２にシリコン系接着剤にて固定され、トッププレート２の周囲を支持している。また、アンダーフレーム３の外周端部は略鉛直方向に伸長して腕部が複数形成されており、本体に固定される。
【００２２】
更に、アンダーフレーム３は、略Ｌ字状に形成された固定部５を複数個有する。固定部５は、別部品で構成しても良いものとする。加熱コイル４は、加熱コイルを固定するコイル固定台８にシリコン系接着剤にて固定され、固定部５と加熱コイルを固定するコイル固定台８がビス７にてねじ止めされて固定される。
【００２３】
これにより、加熱コイル４のトッププレート２に対する位置ずれが低減でき、加熱コイル４と印刷９のズレ、すなわち加熱コイル４と鍋などの被加熱調理器具のずれが低減でき、調理性能を安定させることができる。
【００２４】
更に、近年では安全性や調理性能を向上させるために、温度調整を行うためのサーミスタや赤外線センサといった温度検知用のセンサが加熱コイル４には備えられており、加熱コイル４のずれによるセンサの誤検知も低減でき、安全性や調理性能が低下するのも防ぐことができる。
【００２５】
加えて、ビス７による固定のみであり、組み立て、分解が容易である。そのため、修理などのサービス性も確保できる。
【００２６】
また、固定部５の高さを加熱コイル４の厚みより高くすることによって、トッププレート２と加熱コイル４との間に隙間６を設け、一定に保つことができる。
これにより、トッププレート２と加熱コイル４との隙間６のバラツキが低減でき、加熱コイル４の冷却性能や加熱効率も安定させることができる。
【００２７】
（実施の形態２）
図３は本発明の第２の実施の形態における誘導加熱調理器の天板ユニットの斜視図、図４は本発明の第２の実施の形態における誘導加熱調理器の加熱コイル部の断面図を示すものである。
【００２８】
なお、本実施の形態の基本構成は実施の形態１と同じなので、異なる点を中心に説明する。また、実施の形態１と同じ要素には同じ符号を付し、その説明は省略する。
【００２９】
前記実施の形態１と異なるのは、図２のように、アンダーフレーム３を略箱体に形成し、加熱コイル４を覆う構成とした点である。
【００３０】
これにより、強度が確保でき、アンダーフレーム３が変形して加熱コイル４がずれたり、トッププレート２と加熱コイル４との隙間６が変化したりするのを防ぐことができる。また、アンダーフレーム３をアルミなどの導電性金属で形成することにより、電気的なノイズや加熱コイル４からの漏洩磁界を低減でき、信頼性の高い誘導加熱調理器を提供することができる。
【００３１】
（実施の形態３）
図５は、本発明の第３の実施の形態における誘導加熱調理器の加熱コイル部の断面図を示すものである。
【００３２】
なお、本実施の形態の基本構成は実施の形態１と同じなので、異なる点を中心に説明する。また、実施の形態１と同じ要素には同じ符号を付し、その説明は省略する。
前記実施の形態１と異なるのは、図３のように、加熱コイルを固定するコイル固定台８の上面に接着面１０を有したフランジ１１などを設け、トッププレート２にシリコン系接着剤にて接着して固定する構成とした点である。
これにより、ビスや組み立て工数が削減でき、更には組み立ての自動化などもし易くなり
、生産性の向上を図ることができる。
【産業上の利用可能性】
【００３３】
以上のように、本発明にかかる誘導加熱調理器は、加熱コイルの位置ずれを低減することができ、安定した調理性能を確保することができるので、家庭用、業務用にかかわらず誘導加熱調理器の用途に有効である。
【符号の説明】
【００３４】
１  天板ユニット
２  トッププレート
３  アンダーフレーム
４  加熱コイル
５  固定部
６  隙間
７  ビス
８  コイル固定台
９  印刷
１０  接着面
１１  フランジ
３０  天板
３１  加熱コイル固定台
３２  加熱コイル
３３  支持台
３４  スペーシング部材
【図１】
2012084464.tif 000003
【図２】
2012084464.tif 000004
【図３】
2012084464.tif 000005
【図４】
2012084464.tif 000006
【図５】
2012084464.tif 000007
【図６】
2012084464.tif 000008